(57)【要約】【課題】プロジェクターの設置姿勢に適さない収納姿勢で光源装置が収納されるのを未然に防止する。【解決手段】第１姿勢又は前記第１姿勢を重力方向に沿った上下方向において上下を逆転させた第２姿勢のいずれかの姿勢で設置可能なプロジェクターであって、発光部を有する発光管４１０、発光管４１０の中心軸を含む平面に対して非対称の形状を有し、発光部４１１から射出される光を前記発光部へ向けて反射する副反射鏡４３０と、前記平面に対して非対称の形状を有し、発光部４１１から射出された光を被照明領域側に反射させる主反射鏡４２０とを有する光源装置３００と、光源装置３００を第１姿勢及び第２姿勢の各姿勢に適した収納姿勢で収納可能とする光源装置収納部１３０と、光源装置３００が第２姿勢に適さない収納姿勢で光源装置収納部１３０に収納されると、第２姿勢設置用部品２００の取り付けができないように規制する規制部材１６０とを有する。【選択図】図８
2011007834.tif 000002
【特許請求の範囲】
【請求項１】
設置姿勢を第１姿勢又は前記第１姿勢を重力方向に沿った上下方向において上下を逆転させた第２姿勢のいずれかの姿勢で設置可能なプロジェクターであって、
発光部を有する発光管と、前記発光管の中心軸を含む平面に対して非対称の形状を有し、前記発光管を部分的に覆うように配置されて、前記発光部から射出される光を前記発光部へ向けて反射する副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する光源装置と、
前記光源装置を前記第１姿勢及び前記第２姿勢のそれぞれに適した収納姿勢で収納可能とする光源装置収納部と、
前記第２姿勢で設置する場合に前記プロジェクターに取り付けられる第２姿勢設置用部品と、
前記第２姿勢で設置する場合に前記光源装置が前記第２姿勢に適さない収納姿勢で前記光源装置収納部に収納されると、前記第２姿勢設置用部品を前記プロジェクターに取り付けできないように規制する規制部材と、
を有することを特徴とするプロジェクター。
【請求項２】
請求項１に記載のプロジェクターにおいて、
前記第１姿勢は、前記プロジェクターの底面が前記上下方向における下方向に向いた姿勢であって、前記第２姿勢は、前記プロジェクターの底面が前記上下方向において上方向を向いた姿勢であることを特徴とするプロジェクター。
【請求項３】
請求項１又は２に記載のプロジェクターにおいて、
前記第１姿勢又は前記第２姿勢のそれぞれに適した収納姿勢は、前記副反射鏡が前記発光管よりも前記上下方向における下側となる姿勢であることを特徴とするプロジェクター。
【請求項４】
請求項１〜３のいずれかに記載のプロジェクターにおいて、
前記第２姿勢設置用部品は、前記プロジェクターの底面にネジによって取り付けられ、
前記規制部材は、前記ネジを通すネジ通し孔と前記光源装置収納部に挿入される挿入突起部とを有し、前記光源装置が前記光源装置収納部に収納される際に前記光源装置の収納に伴って前記上下方向に直交する平面上でスライド可能に設けられていることを特徴とするプロジェクター。
【請求項５】
請求項４に記載のプロジェクターにおいて、
前記規制部材は、前記光源装置が前記光源装置収納部に収納される前の初期位置が、前記ネジ通し孔への前記ネジの通過を可能として前記第２姿勢設置用部品の取り付けを可能とする位置であることを特徴とするプロジェクター。
【請求項６】
請求項５に記載のプロジェクターにおいて、
前記光源装置は、前記規制部材の前記挿入突起部を前記光源装置収納部への収納方向に沿って押圧力を付与可能な規制部材押圧部を有し、
前記規制部材押圧部は、前記光源装置が前記第２姿勢に適さない収納姿勢で前記光源装置収納部に収納されたときは、前記規制部材の前記挿入突起部を押圧して前記規制部材を前記初期位置からスライドさせ、前記光源装置が前記第２姿勢に適した収納姿勢で前記光源装置収納部に収納されたときは、前記規制部材の前記挿入突起部を押圧せずに前記規制部材を前記初期位置に保持させるように前記光源装置に設けられていることを特徴とするプロジェクター。
【請求項７】
請求項４に記載のプロジェクターにおいて、
前記規制部材は、前記光源装置が前記光源装置収納部に収納される前の初期位置が、前記ネジ通し孔への前記ネジの通過を不能とする位置であることを特徴とするプロジェクター。
【請求項８】
請求項７に記載のプロジェクターにおいて、
前記光源装置は、前記規制部材の前記挿入突起を前記光源装置収納部への収納方向に沿って押圧力を付与可能な規制部材押圧部を有し、
前記規制部材押圧部は、前記光源装置が前記第２姿勢に適さない収納姿勢で前記光源装置収納部に収納されたときは、前記規制部材の前記挿入突起部を押圧せずに前記規制部材を前記初期位置に保持させ、前記光源装置が前記第２姿勢に適した収納姿勢で前記光源装置収納部に収納されたときは、前記規制部材の前記挿入突起部を押圧して前記初期位置から前記規制部材を前記第２姿勢設置用部品の取り付けが可能な位置にスライドさせることを特徴とするプロジェクター。
【請求項９】
設置姿勢を第１姿勢又は前記第１姿勢を重力方向に沿った上下方向において上下を逆転させた第２姿勢のいずれかの姿勢で設置可能なプロジェクターであって、
発光部を有する発光管と、前記発光管の中心軸を含む平面に対して非対称の形状を有し、前記発光管を部分的に覆うように配置されて、前記発光部から射出される光を前記発光部へ向けて反射する副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する光源装置と、
前記光源装置を前記第１姿勢及び前記第２姿勢のそれぞれに適した収納姿勢で収納可能とする光源装置収納部と、
前記第２姿勢で設置する場合に前記プロジェクターに取り付けられる第２姿勢設置用部品と、
前記第２姿勢設置用部品が前記プロジェクターに取り付けられた場合に、前記光源装置が前記第２姿勢に適さない収納姿勢で前記光源装置収納部に収納されることを規制する規制部材と、
を有することを特徴とするプロジェクター。
【請求項１０】
請求項９に記載のプロジェクターにおいて、
前記第１姿勢は、前記プロジェクターの底面が前記上下方向における下方向に向いた姿勢であって、前記第２姿勢は、前記プロジェクターの底面が前記上下方向において上方向を向いた姿勢であることを特徴とするプロジェクター。
【請求項１１】
請求項９又は１０に記載のプロジェクターにおいて、
前記第１姿勢又は前記第２姿勢のそれぞれに適した収納姿勢は、前記副反射鏡が前記発光管よりも前記上下方向における下側となる姿勢であることを特徴とするプロジェクター。
【請求項１２】
請求項９〜１１のいずれかに記載のプロジェクターにおいて、
前記第２姿勢設置用部品は、前記プロジェクターの底面にネジによって取り付けられ、
前記規制部材は、前記ネジの先端に対向するネジ対向突起部と前記光源装置収納部に挿入可能な挿入突起部とを有し、前記第２姿勢設置用部品が取り付けられると前記ネジの先端で前記ネジ対向突起部が押圧され、前記上下方向に直交する平面上での動きが規制された状態で下降して前記挿入突起部が前記光源収納部に挿入可能に設けられていることを特徴とするプロジェクター。
【請求項１３】
請求項１２に記載のプロジェクターにおいて、
前記光源装置は、前記規制部材の前記挿入突起部に対して前記光源装置収納部への収納方向に押圧力を付与する規制部材押圧部を有し、
前記規制部材押圧部は、前記第２姿勢設置用部品が取り付けられた状態において前記光源装置が前記第２姿勢に適さない収納姿勢で前記光源装置収納部に収納されたときは、前記規制部材の前記挿入突起部に当接し、前記第２姿勢設置用部品が取り付けられた状態において前記光源装置が前記第２姿勢に適した収納姿勢で前記光源装置収納部に収納されたときは、前記規制部材の前記挿入突起部に当接しないように前記光源装置に設けられていることを特徴とするプロジェクター。
【請求項１４】
請求項９〜１１のいずれかに記載のプロジェクターにおいて、
前記第２姿勢設置用部品は、前記プロジェクターの底面にネジによって取り付けられ、
前記規制部材は、前記ネジの先端に対向するネジ対向突起部と前記光源装置収納部に挿入可能な第１挿入突起部及び第２挿入突起部とを有し、前記第２姿勢設置用部品が取り付けられる前においては、前記第１挿入突起部が前記光源装置収納部から離脱し、前記第２挿入突起部が前記光源装置収納部に挿入され、前記第２姿勢設置用部品が取り付けられると前記第１挿入突起部が前記光源装置収納部に挿入され、前記第２挿入突起部が前記光源装置収納部から離脱した状態となることを特徴とするプロジェクター。
【請求項１５】
請求項１４に記載のプロジェクターにおいて、
前記光源装置は、前記規制部材の前記第１挿入突起部及び第２挿入突起部のいずれかに対して前記収納方向に押圧力を付与する規制部材押圧部を有し、
前記規制部材押圧部は、前記第２姿勢設置用部品が取り付けられた状態において前記光源装置が前記第２姿勢に適さない収納姿勢で前記光源装置収納部に収納されたときは、前記規制部材の第１挿入突起部に当接し、前記第２姿勢設置用部品が取り付けられた状態において前記光源装置が前記第２姿勢に適した収納姿勢で前記光源装置収納部に収納されたときは、規制部材押圧部が前記規制部材の第１挿入突起部に当接しないように前記光源装置に設けられていることを特徴とするプロジェクター。
【発明の詳細な説明】
【技術分野】
【０００１】
本発明は、プロジェクターに関する。
【背景技術】
【０００２】
プロジェクターは、テーブルなどに据え置いた状態で使用するだけではなく、天井などに吊るした状態での使用を可能とするものも多い（例えば、特許文献１参照）。なお、テーブルなどに据え置いた状態で使用する場合のプロジェクターの姿勢を据置姿勢と呼び、天井などに吊るした状態で使用する場合のプロジェクターの姿勢を天吊姿勢と呼ぶことにする。
【０００３】
また、プロジェクターに用いられる光源装置として、発光管から射出した光の利用効率を高めるようにした光源装置がある（例えば、特許文献２参照）。
【０００４】
図２０は、発光管から射出した光の利用効率を高めるようにした光源装置の構成を概略的に示す図である。特許文献２に開示されている光源装置は、図２０に示すように、発光部１を有する発光管２と、発光管２の中心軸１ｘを含む平面を境にして一方側（図２０における中心軸１ｘの上側半分）のみを覆うように配置され、発光部１から射出される光Ｌ１を被照明領域側に反射する主反射鏡（リフレクタという）３と、発光管２における他方側（図２０における中心軸１ｘの下側半分）のみを覆うように配置され、発光管２の発光部１から射出される光Ｌ２を発光部１へ向けて反射する副反射鏡（副鏡という）４とを備える。
【０００５】
特許文献２に開示されている光源装置によれば、発光部１から射出される光の一部は副鏡４で反射されたのち、発光部１を通過して、リフレクタ３の反射面に反射されて被照明領域側に射出されるため、発光部１から射出される光を効率よく被照明領域側に進行させることができる。また、このような構成の光源装置によれば、光源装置の厚みを薄くすることができ、それによってプロジェクターの厚みも薄くすることができる。
【先行技術文献】
【特許文献】
【０００６】
【特許文献１】特開２００８−２８６８７３号公報
【特許文献２】特開２００１−１０９０６８号公報
【発明の概要】
【発明が解決しようとする課題】
【０００７】
一般に、プロジェクターに用いられる光源装置は、供給された電気エネルギーの多くが熱に変換されて高温となることから、ファンなどによる冷却が必要となる。特許文献２に開示されている光源装置（図２０参照）の場合、副鏡４で覆われる部分に冷却風が届きにくいため、冷却効率が悪く、より高温となる傾向にある。
【０００８】
特に、据置姿勢だけでなく天吊姿勢での使用を可能とするプロジェクターにおいて、プロジェクターを据置姿勢とした場合と天吊姿勢とした場合とで、光源装置の姿勢も重力方向に沿った上下方向において上下が逆転するため、特許文献２に開示されている光源装置を用いた場合には、発光管２と副鏡４の位置関係も上下方向において上下が逆転する。
【０００９】
すなわち、プロジェクターを天吊姿勢で使用する際は、据置姿勢のプロジェクターを上下を逆転させた状態で設置するため、光源装置も上下が逆転した状態となり、発光管２と
副鏡４との位置関係も上下が逆転する。このため、プロジェクターを据置姿勢とした場合の光源装置の姿勢（図２０参照）は、プロジェクターを天吊姿勢とした場合には上下が逆転し、副鏡４が発光管２の上側に位置し、発光管２の上側が副鏡４に覆われる状態となる。
【００１０】
発光管の上側が副鏡に覆われる状態となると、発光管と副鏡との間に熱が蓄積され易くなり、冷却が不十分となる。発光管に冷却の不十分な部分が生じると、発光管を構成する透明部材が熱によって結晶化し、白濁する場合があり、これは、発光管の寿命の低下やプロジェクターから投写される画像の輝度の低下を招くことにもなる。
【００１１】
ところで、光源装置をプロジェクターに収納する際、プロジェクターを据置姿勢で使用するか、天吊姿勢で使用するかによって、光源装置をそれぞれの姿勢に適した収納姿勢でプロジェクターに収納できるような構成を有するプロジェクターも存在する。これによれば、プロジェクターを据置姿勢又は天吊姿勢のいずれの姿勢で使用する場合においても、副鏡を発光管の下側に位置させることができ、上記したような不具合を防止することができる。
【００１２】
しかしながら、このような構成とした場合にも、プロジェクターを据置姿勢で使用する場合に適した収納姿勢で光源装置を収納したまま、当該プロジェクターを天吊姿勢で使用してしまう場合もあり得る。また、逆に、プロジェクターを天吊姿勢で使用する場合に適した収納姿勢で光源装置を収納したまま、当該プロジェクターを据置姿勢で使用する場合もあり得る。
【００１３】
後者の場合、すなわち、プロジェクターを天吊姿勢で使用する場合に適した収納姿勢で光源装置を収納したまま、当該プロジェクターを据置姿勢で使用する場合には、光源装置を適正な向きに取り付けし直すことは容易であるが、前者の場合、すなわち、プロジェクターを据置姿勢で使用する場合に適した収納姿勢で光源装置を収納したまま、当該プロジェクターを天井などに設置してしまうと、光源装置の姿勢を直すのは容易ではない。このため、ユーザーは、光源装置の姿勢が逆向きであることに気がついたとしても、そのままの姿勢で使用してしまうことも多く、その場合、上記したような不具合を招くこととなる。
【００１４】
そこで本発明は、プロジェクターの設置姿勢に適さない収納姿勢で光源装置が収納されるのを未然に防止し、それによって、冷却効率の低下を防止することができるプロジェクターを提供することを目的とする。
【課題を解決するための手段】
【００１５】
本発明の第１のプロジェクターは、設置姿勢を第１姿勢又は前記第１姿勢を重力方向に沿った上下方向において上下を逆転させた第２姿勢のいずれかの姿勢で設置可能なプロジェクターであって、発光部を有する発光管と、前記発光管の中心軸を含む平面に対して非対称の形状を有し、前記発光管を部分的に覆うように配置されて、前記発光部から射出される光を前記発光部へ向けて反射する副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する光源装置と、前記光源装置を前記第１姿勢及び前記第２姿勢のそれぞれに適した収納姿勢で収納可能とする光源装置収納部と、前記第２姿勢で設置する場合に前記プロジェクターに取り付けられる第２姿勢設置用部品と、前記第２姿勢で設置する場合に前記光源装置が前記第２姿勢に適さない収納姿勢で前記光源装置収納部に収納されると、前記第２姿勢設置用部品を前記プロジェクターに取り付けできないように規制する規制部材とを有することを特徴とする。
【００１６】
本発明の第１のプロジェクターによれば、プロジェクターの設置姿勢に適さない収納姿勢で光源装置が収納されるのを未然に防止し、それによって、冷却効率の低下を防止することができる。すなわち、本発明においては、プロジェクターを第２姿勢で使用する場合、光源装置が第２姿勢に適した収納姿勢で収納された場合のみに、第２姿勢設置用部品の取り付けを可能とするような構造としている。これにより、プロジェクターを第２姿勢として使用する場合には、光源装置は必然的に第２姿勢に適した収納姿勢で収納されることとなる。
【００１７】
なお、この明細書において、「上下方向」とは、重力方向に沿った上下の方向を指しており、重力方向を「下方向」、反重力方向を「上方向」として説明する。なお、「下方向」を「下側」又は「下」と表記する場合もあり、「上方向」を「上側」又は「上」と表記する場合もある。またこの明細書において用いられる「上方向」、「上側」、「上」、「下方向」、「下側」、「下」などは重力方向及び反重力方向に厳密に一致するというものではなく、ある程度の傾きは許容されるものである。
【００１８】
本発明の第１のプロジェクターにおいて、前記第１姿勢は、前記プロジェクターの底面が前記上下方向における下方向に向いた姿勢であって、前記第２姿勢は、前記プロジェクターの底面が前記上下方向において上方向を向いた姿勢であるとしている。
【００１９】
これにより、第１姿勢はプロジェクターを例えばテーブルなどに据え置いて使用する際の姿勢（据置姿勢）であり、第２姿勢はプロジェクターを天井などに吊して使用する際の姿勢（天吊姿勢）である。したがって、第２姿勢設置用部品は、プロジェクターを天井などに取り付けるための金具（天吊金具という）である。
【００２０】
本発明の第１のプロジェクターにおいて、前記第１姿勢又は前記第２姿勢のそれぞれに適した収納姿勢は、前記副反射鏡が前記発光管よりも前記上下方向における下側となる姿勢であるとしている。
【００２１】
このように、プロジェクターを第１姿勢又は第２姿勢のいずれの姿勢とした場合においても、副反射鏡すなわち副鏡が発光管よりも下側となるような姿勢で光源装置がプロジェクターに収納されることによって、冷却効率を高めることができる。すなわち、前述したように、発光管の上側が副鏡に覆われる状態となると、発光管と副鏡との間に熱が蓄積され易くなるが、副鏡が前記発光管よりも下側に存在することにより、発光管の上側に十分な空間が形成されるので、冷却効率を高めることができる。
【００２２】
本発明の第１のプロジェクターにおいて、前記第２姿勢設置用部品は、前記プロジェクターの底面にネジによって取り付けられ、前記規制部材は、前記ネジを通すネジ通し孔と前記光源装置収納部に挿入される挿入突起部とを有し、前記光源装置が前記光源装置収納部に収納される際に前記光源装置の収納に伴って前記上下方向に直交する平面上でスライド可能に設けられていることが好ましい。
【００２３】
このように、本発明の第１のプロジェクターは、光源装置の収納に伴って作動する規制部材によって光源装置が適正な姿勢で収納されるようにしている。これにより、電気的な制御を用いることなく、簡単な機構によって光源装置が適正な収納姿勢で収納されるようにすることができる。このように、電気的な制御を用いないため、プロジェクターの電源を入れる前の段階で光源装置が適正な収納姿勢で収納されるようにすることができ、ユーザーは光源装置の収納姿勢が適正であるか否かをいち早く知ることができる。
【００２４】
本発明の第１のプロジェクターにおいて、前記規制部材は、前記光源装置が前記光源装
置収納部に収納される前の初期位置が、前記ネジ通し孔への前記ネジの通過を可能として前記第２姿勢設置用部品の取り付けを可能とする位置であることが好ましい。
【００２５】
これは、光源装置が光源装置収納部に収納される前の規制部材の初期位置を示すものであり、光源装置が光源装置収納部に収納される前の規制部材の初期位置をこのような位置とすることも可能である。
【００２６】
本発明の第１のプロジェクターにおいて、前記光源装置は、前記規制部材の前記挿入突起部を前記光源装置収納部への収納方向に沿って押圧力を付与可能な規制部材押圧部を有し、前記規制部材押圧部は、前記光源装置が前記第２姿勢に適さない収納姿勢で前記光源装置収納部に収納されたときは、前記規制部材の前記挿入突起部を押圧して前記規制部材を前記初期位置からスライドさせ、前記光源装置が前記第２姿勢に適した収納姿勢で前記光源装置収納部に収納されたときは、前記規制部材の前記挿入突起部を押圧せずに前記規制部材を前記初期位置に保持させるように前記光源装置に設けられていることが好ましい。
【００２７】
このように、光源装置が第２姿勢に適さない収納姿勢で光源装置収納部に収納されたときは、規制部材を初期位置からスライドさせるようにしているので、規制部材のネジ通し孔にネジを通すことができず、第２姿勢設置用部品を取り付けることができない。また、光源装置が第２姿勢に適した収納姿勢で光源装置収納部に収納された場合は、規制部材は初期位置を保持するため、ネジ通し孔にネジを通すことができるので、第２姿勢設置用部品を取り付けることができる。これにより、第２姿勢設置用部品が取り付けられるよりも前の段階で光源装置が光源装置収納部に収納された場合、光源装置が第２姿勢に適した収納姿勢で収納された場合のみに第２姿勢設置用部品を取り付けることができる。
【００２８】
なお、光源装置が前記光源装置収納部に収納される前の段階で第２姿勢設置用部品が取り付けられた場合には、光源装置が第２姿勢に適した収納姿勢で収納されれば、光源装置の収納は可能となる。一方、光源装置が第２姿勢に適さない収納姿勢で収納された場合には、規制部材押圧部が規制部材の挿入突起部を押圧しても規制部材は固定された状態であるので、規制部材はスライドしないため、光源装置を光源装置収納部に対してそれ以上奥に収納させることができない。このため、光源装置を光源装置収納部に対して収納完了状態とすることはできない。なお、「収納完了状態」というのは、例えば、光源装置がプロジェクターの電気回路に接続された状態であり、具体的には、光源装置側のコネクタが光源装置収納部に設けられているプロジェクターの電気回路側のコネクタに接続された状態を指す。
【００２９】
本発明の第１のプロジェクターにおいて、前記規制部材は、前記光源装置が前記光源装置収納部に収納される前の初期位置が、前記ネジ通し孔への前記ネジの通過を不能とする位置であることもまた好ましい。
【００３０】
これは、ネジ通し孔へのネジの通過を不能とする位置を規制部材の初期位置として、光源装置が第２姿勢に適した収納姿勢で光源装置収納部に収納された場合のみに、規制部材のネジ通し孔にネジを通すことができるようにしたものである。このように構成することによっても、プロジェクターを第２姿勢で使用する場合、光源装置が第２姿勢に適した収納姿勢で光源装置収納部に収納されることによって第２姿勢設置用部品の取り付けが可能となる。
【００３１】
本発明の第１のプロジェクターにおいて、前記光源装置は、前記規制部材の前記挿入突起を前記光源装置収納部への収納方向に沿って押圧力を付与可能な規制部材押圧部を有し、前記規制部材押圧部は、前記光源装置が前記第２姿勢に適さない収納姿勢で前記光源装
置収納部に収納されたときは、前記規制部材の前記挿入突起部を押圧せずに前記規制部材を前記初期位置に保持させ、前記光源装置が前記第２姿勢に適した収納姿勢で前記光源装置収納部に収納されたときは、前記規制部材の前記挿入突起部を押圧して前記初期位置から前記規制部材を前記第２姿勢設置用部品の取り付けが可能な位置にスライドさせることが好ましい。
【００３２】
このように、光源装置が第２姿勢に適さない収納姿勢で光源装置収納部に収納されたときは、規制部材は初期位置を保持するので、規制部材はネジを通すことができず、第２姿勢設置用部品を取り付けることができない。また、光源装置が第２姿勢に適した収納姿勢で光源装置収納部に収納された場合は、規制部材は初期位置からスライドしてネジ通し孔にネジを通すことができる状態となるので、第２姿勢設置用部品を取り付けることができる。これにより、光源装置が第２姿勢に適した収納姿勢で収納された場合のみに第２姿勢設置用部品を取り付けることができる。なお、このように、ネジ通し孔へのネジの通過を不能とする位置を規制部材の初期位置とした場合は、光源装置が第２姿勢に適した収納姿勢で収納されない状態では、第２姿勢設置用部品の取り付けは行えない。
【００３３】
本発明の第２のプロジェクターは、設置姿勢を第１姿勢又は前記第１姿勢を重力方向に沿った上下方向において上下を逆転させた第２姿勢のいずれかの姿勢で設置可能なプロジェクターであって、発光部を有する発光管と、前記発光管の中心軸を含む平面に対して非対称の形状を有し、前記発光管を部分的に覆うように配置されて、前記発光部から射出される光を前記発光部へ向けて反射する副反射鏡と、前記発光管の中心軸を含む平面に対して非対称の形状を有し、前記副反射鏡で反射された光と前記発光部から射出された光のうち前記副反射鏡に入射されない光とを反射させて被照明領域側に射出する主反射鏡とを有する光源装置と、前記光源装置を前記第１姿勢及び前記第２姿勢のそれぞれに適した収納姿勢で収納可能とする光源装置収納部と、前記第２姿勢で設置する場合に前記プロジェクターに取り付けられる第２姿勢設置用部品と、前記第２姿勢設置用部品が前記プロジェクターに取り付けられた場合に、前記光源装置が前記第２姿勢に適さない収納姿勢で前記光源装置収納部に収納されることを規制する規制部材とを有することを特徴とする。
【００３４】
本発明の第２のプロジェクターは、光源装置が収納される前の段階で第２姿勢設置用部品が取り付けられた場合には、当該プロジェクターに対して光源装置を適正な収納姿勢でしか収納できないようにしたものである。すなわち、本発明の第２のプロジェクターにおいては、第２姿勢設置用部品がプロジェクターに取り付けられたのち、光源装置が第２姿勢に適さない収納姿勢で前記光源装置収納部に収納されようとすると、光源装置の光源装置収納部への収納が規制される。これにより、第２姿勢設置用部品が取り付けられた場合には、当該プロジェクターに対して光源装置を適正な収納姿勢でしか収納することができない。
【００３５】
これにより、本発明の第２のプロジェクターにおいても、プロジェクターの設置姿勢に適さない収納姿勢で光源装置が収納されるのを未然に防止し、それによって、冷却効率の低下を防止することができる。
【００３６】
本発明の第２のプロジェクターにおいて、前記本発明の第１のプロジェクターと同様、前記第１姿勢は、前記プロジェクターの底面が前記上下方向における下方向に向いた姿勢であって、前記第２姿勢は、前記プロジェクターの底面が前記上下方向において上方向を向いた姿勢であるとしている。
【００３７】
本発明の第２のプロジェクターにおいて、前記本発明の第１のプロジェクターと同様、前記第１姿勢又は前記第２姿勢のそれぞれに適した収納姿勢は、前記副反射鏡が前記発光管よりも前記上下方向における下側となる姿勢である。
【００３８】
本発明の第２のプロジェクターにおいて、前記第２姿勢設置用部品は、前記プロジェクターの底面にネジによって取り付けられ、前記規制部材は、前記ネジの先端に対向するネジ対向突起部と前記光源装置収納部に挿入可能な挿入突起部とを有し、前記第２姿勢設置用部品が取り付けられると前記ネジの先端で前記ネジ対向突起部が押圧され、前記上下方向に直交する平面上での動きが規制された状態で下降して前記挿入突起部が前記光源収納部に挿入可能に設けられていることが好ましい。
【００３９】
このように、本発明の第２のプロジェクターにおいても、光源装置の収納に伴って作動する規制部材によって光源装置が適正な収納姿勢で収納されるようにしている。これにより、電気的な制御を用いることなく、簡単な機構によって光源装置が適正な収納姿勢で収納されるようにすることができる。このように、電気的な制御を用いないため、プロジェクターの電源を入れる前の段階で光源装置が適正な収納姿勢で収納されるようにすることができ、ユーザーは光源装置の収納姿勢が適正であるか否かをいち早く知ることができる。
【００４０】
本発明の第２のプロジェクターにおいて、前記光源装置は、前記規制部材の前記挿入突起部に対して前記光源装置収納部への収納方向に押圧力を付与する規制部材押圧部を有し、前記規制部材押圧部は、前記第２姿勢設置用部品が取り付けられた状態において前記光源装置が前記第２姿勢に適さない収納姿勢で前記光源装置収納部に収納されたときは、前記規制部材の前記挿入突起部に当接し、前記第２姿勢設置用部品が取り付けられた状態において前記光源装置が前記第２姿勢に適した収納姿勢で前記光源装置収納部に収納されたときは、前記規制部材の前記挿入突起部に当接しないように前記光源装置に設けられていることが好ましい。
【００４１】
このように、第２姿勢設置用部品が取り付けられると、規制部材の挿入突起部が光源収納部に挿入された状態となり、第２姿勢に適さない収納姿勢で光源装置収納部に収納された光源装置の規制部材押圧部が規制部材の挿入突起部に当接して、光源装置を光源装置収納部に対してそれ以上奥に収納させることができない。このため、光源装置を光源装置収納部に対して収納完了状態とすることはできない。
【００４２】
本発明の第２のプロジェクターにおいて、前記第２姿勢設置用部品は、前記プロジェクターの底面にネジによって取り付けられ、前記規制部材は、前記ネジの先端に対向するネジ対向突起部と前記光源装置収納部に挿入可能な第１挿入突起部及び第２挿入突起部とを有し、前記第２姿勢設置用部品が取り付けられる前においては、前記第１挿入突起部が前記光源装置収納部から離脱し、前記第２挿入突起部が前記光源装置収納部に挿入され、前記第２姿勢設置用部品が取り付けられると前記第１挿入突起部が前記光源装置収納部に挿入され、前記第２挿入突起部が前記光源装置収納部から離脱した状態となることもまた好ましい。
【００４３】
これは、規制部材が第１挿入突起部及び第２挿入突起部の２つの挿入突起部を有するものである。そして、第２姿勢設置用部品が取り付けられる前においては、第１挿入突起部が前記光源装置収納部から離脱し、第２挿入突起部が光源装置収納部に挿入された状態となり、第２姿勢設置用部品が取り付けられると第１挿入突起部が光源装置収納部に挿入され、第２挿入突起部が光源装置収納部から離脱した状態となる。このような構成としても、電気的な制御を用いることなく、簡単な機構によって光源装置が適正な収納姿勢で収納されるようにすることができる。
【００４４】
本発明の第２のプロジェクターにおいて、前記光源装置は、前記規制部材の前記第１挿入突起部及び第２挿入突起部のいずれかに対して前記収納方向に押圧力を付与する規制部
材押圧部を有し、前記規制部材押圧部は、前記第２姿勢設置用部品が取り付けられた状態において前記光源装置が前記第２姿勢に適さない収納姿勢で前記光源装置収納部に収納されたときは、前記規制部材の第１挿入突起部に当接し、前記第２姿勢設置用部品が取り付けられた状態において前記光源装置が前記第２姿勢に適した収納姿勢で前記光源装置収納部に収納されたときは、規制部材押圧部が前記規制部材の第１挿入突起部に当接しないように前記光源装置に設けられていることが好ましい。
【００４５】
このような構成とすることによって、第２姿勢設置用部品が取り付けられた状態において、光源装置が第２姿勢に適した収納姿勢で光源装置収納部に収納された場合には、光源装置は規制部材の規制を受けずに光源装置収納部に収納することができる。また、光源装置が第２姿勢に適さない収納姿勢で光源装置収納部に収納された場合には、規制部材押圧部は規制部材の第１挿入突起部に当接する。このため、光源装置は規制部材によって、それ以上奥への挿入が規制され、光源装置収納部に対して収納完了状態とすることはできない。
【００４６】
また、規制部材をこのような構成とすることにより、プロジェクターを第１姿勢で使用する場合（第２姿勢設置用部品を取り付けない状態）においても、光源装置が第１姿勢に適さない収納姿勢で収納されるのを防止することができる。
【図面の簡単な説明】
【００４７】
【図１】実施形態１に係るプロジェクターＰＪの外観を概略的に示す斜視図。
【図２】プロジェクターＰＪに天吊金具２００を取り付けた状態を示す外観斜視図。
【図３】光源装置３００に設けられるランプ４００の構成を示す図。
【図４】実施形態１に係るプロジェクターＰＪの光学系の概略構成を模式的に示す平面図。
【図５】実施形態１に係るプロジェクターＰＪにおいて使用される光源装置３００の外観構成を示す図。
【図６】図１（ｂ）に示すプロジェクターＰＪにおけるプロジェクター筐体１００の底面１１４を切り欠いて示す図。
【図７】実施形態１に係るプロジェクターＰＪの内部構成を示す部分断面図。
【図８】図７に示す規制部材１６０の初期位置の状態から光源装置３００の収納と天吊金具２００の取り付けを行う場合について説明する図。
【図９】実施形態２に係るプロジェクターＰＪに用いられる光源装置３００の構成を示す図。
【図１０】実施形態２に係るプロジェクターＰＪの内部構成を示す部分断面図。
【図１１】図１０に示す規制部材１６０の第２初期位置の状態から光源装置３００の収納と天吊金具２００の取り付けを行う場合について説明する図。
【図１２】実施形態３に係るプロジェクターＰＪの内部構成を概略的に示す図。
【図１３】実施形態３に係るプロジェクターＰＪの内部構成を示す部分断面図。
【図１４】図１３に示す状態において天吊金具２００が取り付けられた状態を示す図。
【図１５】天吊金具２００が取り付けられた状態における光源装置３００の収納操作について説明する図。
【図１６】実施形態４に係るプロジェクターＰＪの内部構成を示す部分断面図。
【図１７】図１６（ａ）に示すような状態において天吊金具２００が取り付けられた状態を示す図。
【図１８】天吊金具２００が取り付けられた状態における光源装置３００の収納操作について説明する図。
【図１９】プロジェクターＰＪを据置姿勢で使用する場合における光源装置３００の収納操作と規制部材１６０との関係について説明する図。
【図２０】発光管から射出した光の利用効率を高めるようにした光源装置の構成を概略的に示す図。
【発明を実施するための形態】
【００４８】
以下、本発明の実施形態について説明する。
【００４９】
［実施形態１］
図１は、実施形態１に係るプロジェクターＰＪの外観を概略的に示す斜視図である。図１（ａ）はプロジェクターＰＪを第１姿勢すなわちテーブルなどに据え置いた状態で使用する場合の据置姿勢を示し、図１（ｂ）はプロジェクターＰＪを第２姿勢すなわち天井などから吊り下げた状態で使用する場合の天吊姿勢を示す。図１（ｂ）に示す天吊姿勢は、図１（ａ）に示す据置姿勢のプロジェクターＰＪを上下方向において逆転させた姿勢であり、プロジェクターＰＪの筐体１００（プロジェクター筐体１００という）の底面１１４が上方向を向いている。
【００５０】
実施形態１に係るプロジェクターＰＪの外観構成としては、図１に示すように、プロジェクターＰＪの筐体（以下ではプロジェクター筐体という）１００と、プロジェクター筐体１００の前面１１１に取り付けられた投写レンズ１２０と、プロジェクター筐体１００の背面１１２又は側面１１３（実施形態１に係るプロジェクターＰＪにおいては側面１１３としている）に設けられ、光源装置３００（後述する）が収納される光源装置収納部１３０と、プロジェクター筐体１００の底面１１４に設けられた４個の脚部１４１〜１４４と、プロジェクター筐体１００の底面１１４に設けられ、天吊金具２００（図２参照）を取り付けるための複数個所（２箇所とする）の天吊金具取り付け孔１５１，１５２とを有している。
【００５１】
なお、天吊金具取り付け孔１５１，１５２は、天吊金具２００を取り付けるためのネジ２１１，２１２（図２参照）を通すだけのいわゆる「バカ孔」である。なお、天吊金具２００の取り付け方や光源装置収納部１３０の形状などについては後述する。
【００５２】
図２は、プロジェクターＰＪに天吊金具２００を取り付けた状態を示す外観斜視図である。天吊金具２００は、例えば図２に示すように、プロジェクター筐体１００の底面１１４にネジ２１１，２１２によって固定される底面固定金具２１０と、天井などにネジ（図示せず）などによって固定される天井固定金具２２０とを有している。なお、図２に示す天吊金具２００の構成は一例であって、図２に示すような構成に限られるものではない。
【００５３】
図３は、光源装置３００に設けられるランプ４００の構成を示す図である。ランプ４００は、光源装置３００の筐体３１０（図５参照）内に収納されている。そして、ランプ４００は、図３に示すように、発光部４１１を内包する管球部４１２及び一対の封止部４１３，４１４を有する発光管４１０と、発光管４１０の中心軸４００ｘを含む平面Ｓに対して非対称の形状を有し、発光管４１０を部分的に覆うように配置されて、発光部４１１から射出される光Ｌ２を発光部４１１へ向けて反射する副鏡４３０と、発光管４１０の中心軸４００ｘを含む平面Ｓに対して非対称の形状を有し、副鏡４３０で反射された光Ｌ２と発光部４１０から射出された光のうち副鏡４３０に入射されない光Ｌ１とを反射させて被照明領域側に射出するリフレクタ４２０とを有する光源装置３００とを備えている。
【００５４】
図３に示すランプ４００においては、リフレクタ４２０は、中心軸４００ｘを含む所定の平面Ｓを境にして一方側（図３における平面Ｓの上側）に配置されており、副鏡４３０は、中心軸４００ｘを含む所定の平面Ｓを境にして他方側（図３における平面Ｓの下側）で、かつ発光管４１０の近傍に配置されている。
【００５５】
なお、リフレクタ４２０は、リフレクタ４２０の下端部が上記平面Ｓに一致する必要はなく、平面Ｓよりも下方向に多少のはみ出し部が存在するよう形状であってもよく、また、平面Ｓに対して上方向に多少の不足が生じるような形状であってもよい。副鏡４３０も同様に、副鏡４３０の上端部が上記平面Ｓに一致する必要はなく、平面Ｓよりも上方向に多少のはみ出し部が存在するよう形状であってもよく、また、平面Ｓに対して下方向に多少の不足が生じるような形状であってもよい。
【００５６】
副鏡４３０の反射面４３１は、非球面形状を有し、反射面４３１で反射される光Ｌ２が発光部４１１に向けて反射されるように構成されている。なお、副鏡４３０の材質は、例えば、石英ガラスである。
【００５７】
図３に示すように、副鏡４３０は発光管４１０における他方側（リフレクタ４２０の存在しない側）を覆うような形状となっている。このため、前述したように、熱の偏りをなくすためには、副鏡４３０が発光管４１０の下側に位置する収納姿勢で光源装置３００をプロジェクター筐体１００に収納することが重要である。
【００５８】
したがって、光源装置３００の収納姿勢は、プロジェクターＰＪを据置姿勢とした場合又は天吊姿勢とした場合のいずれにおいても、図３に示すように、副鏡４３０が発光管４１０の下側となるように光源装置収納部１３０に収納された姿勢が適正な収納姿勢であり、このような光源装置の収納姿勢を「適正姿勢」と呼ぶことにする。また、それとは逆に、プロジェクターＰＪを据置姿勢とした場合又は天吊姿勢とした場合のいずれにおいても、副鏡４３０が発光管４１０の上側となるように光源装置収納部１３０に収納された姿勢は不適正な収納姿勢であり、このような光源装置の収納姿勢を「不適正姿勢」と呼ぶことにする。
【００５９】
図４は、実施形態１に係るプロジェクターＰＪの光学系の概略構成を模式的に示す平面図である。実施形態１に係るプロジェクターの光学系は、図４に示すように、照明装置１０と、照明装置１０からの照明光束を赤色光、緑色光及び青色光の３つの色光に分離して被照明領域に導光する色分離導光光学系２０と、色分離導光光学系２０で分離された３つの色光のそれぞれを画像情報に応じて変調する光変調素子としての３つの液晶装置３０Ｒ，３０Ｇ，３０Ｂと、これら３つの液晶装置３０Ｒ，３０Ｇ，３０Ｂによって変調された色光を合成するクロスダイクロイックプリズム４０と、クロスダイクロイックプリズム４０によって合成された光をスクリーンＳＣＲ等の投写面に投写する投写レンズ１２０とを有している。
【００６０】
照明装置１０は、図４に示すように、被照明領域側に照明光束を射出するランプ（詳細は図３参照）４００と、ランプ４００からの光をほぼ平行光として射出する凹レンズ１１と、第１レンズアレイ１２と、第２レンズアレイ１３と、偏光変換素子１４と、重畳レンズ１５とを有する。
【００６１】
色分離導光光学系２０は、図４に示すように、ダイクロイックミラー２１，２２と、反射ミラー２３，２４，２５と、入射側レンズ２６と、リレーレンズ２７とを有している。色分離導光光学系２０は、照明装置１０から射出される照明光束を赤色光、緑色光及び青色光の３つの色光に分離して、それぞれの色光を照明対象となる液晶装置３０Ｒ，３０Ｇ，３０Ｂに導く機能を有している。
【００６２】
ダイクロイックミラー２１は、赤色光成分を反射し、その他の色光成分を透過するミラーである。また、ダイクロイックミラー２２は、緑色光成分を反射し、青色光成分を透過するミラーである。
【００６３】
ダイクロイックミラー２２で反射された赤色光成分は、反射ミラー２３により曲折され、集光レンズ５０Ｒを介して赤色光用の液晶装置３０Ｒの画像形成領域に入射する。ダイクロイックミラー２１を通過した緑色光成分及び青色光成分のうち緑色光成分は、ダイクロイックミラー２２によって反射され、集光レンズ５０Ｇを通過して緑色光用の液晶装置３０Ｇの画像形成領域に入射する。一方、青色光成分は、ダイクロイックミラー２２を透過し、入射側レンズ２６、反射ミラー２４、リレーレンズ２７、反射ミラー２５及び集光レンズ５０Ｂを通過して青色光用の液晶装置３０Ｂの画像形成領域に入射する。
【００６４】
なお、図示を省略したが、各集光レンズ５０Ｒ，５０Ｇ，５０Ｂと各液晶装置３０Ｒ，３０Ｇ，３０Ｂとの間には、それぞれ入射側偏光板が配置され、各液晶装置３０Ｒ，３０Ｇ，３０Ｂとクロスダイクロイックプリズム４０との間には、それぞれ射出側偏光板が配置されている。これら入射側偏光板、液晶装置３０Ｒ，３０Ｇ，３０Ｂ及び射出側偏光板によって、入射する各色光の光変調が行われる。
【００６５】
クロスダイクロイックプリズム４０は、各液晶装置によって色光ごとに変調された光学像を合成してカラー画像を形成する光学素子であり、クロスダイクロイックプリズム４０から射出されたカラー画像は、投写レンズ１２０によって拡大投写され、スクリーンＳＣＲ上で画像を形成する。
【００６６】
図５は、実施形態１に係るプロジェクターＰＪにおいて使用される光源装置３００の外観構成を示す図である。図５（ａ）は光源装置３００の斜視図であり、図５（ｂ）は光源装置３００の側面図である。なお、図５（ｂ）においては、光源装置３００の筐体３１０（光源装置筐体３１０という）内にランプ４００が収納されている様子が示されているが、図５（ｂ）においては、光源装置筐体３１０内におけるランプ４００の収納姿勢を示すものであるため、主要な構成要素（発光管４１０、リフレクタ４２０及副鏡４３０）のみが示されている。
【００６７】
光源装置３００は、直方体の光源装置筐体３１０の内部にランプ４００が収納されている。そして、光源装置筐体３１０のある１つの外壁面（実施形態１に係るプロジェクターＰＪにおいては副鏡４３０の存在する側の外壁面とする）には、後述する規制部材（図６参照）に押圧力を付与する規制部材押圧部３２０が設けられている。
【００６８】
この規制部材押圧部３２０は、当該光源装置３００をプロジェクター筐体１００に設けられた光源装置収納部１３０に挿入したり光源装置収納部１３０から取り外したりする方向（光源装置挿脱方向といい、図５の矢印Ａ−Ａ’で示す）に沿って設けられた細長い直線状の凸部である。
【００６９】
ところで、プロジェクターＰＪに設けられる光源装置収納部１３０（図１及び図２参照）には、その上下方向の内壁面のそれぞれ対向する位置に２本のガイド溝１３１，１３２が設けられている。なお、以下ではガイド溝１３１を第１ガイド溝１３１と呼び、ガイド溝１３２を第２ガイド溝１３２と呼ぶ。
【００７０】
第１ガイド溝１３１及び第２ガイド溝１３２は、光源装置挿脱方向に沿って設けられており、光源装置３００が光源装置収納部１３０に収納される際に、光源装置筐体３１０に設けられた規制部材押圧部３２０が挿入されて光源装置３００の挿入及び取り外しをガイドするものである。なお、第１ガイド溝１３１はプロジェクター筐体１００の底面１１４側に設けられ、第２ガイド溝１３２はプロジェクターの上端面１１５側に設けられている。
【００７１】
このように、光源装置収納部１３０の上下両方の内壁面に第１ガイド溝１３１及び第２
ガイド溝１３２が設けられることにより、プロジェクターＰＪを据置姿勢（図１（ａ）参照）で使用する場合には、光源装置３００の規制部材押圧部３２０が下側となるような姿勢（図５に示す姿勢）で光源装置３００を光源装置収納部１３０に収納することができ、また、プロジェクターＰＪを天吊姿勢（図１（ｂ）参照）で使用する場合においても、光源装置３００の規制部材押圧部３２０が下側となるような姿勢（図５に示す姿勢）で光源装置３００を光源装置収納部１３０に収納することができる。
【００７２】
これにより、プロジェクターＰＪを据置姿勢又は天吊姿勢のいずれの姿勢で設置した場合においても、光源装置３００を適正姿勢（副鏡４３０が発光管４１０よりも下側となる姿勢）で収納することができる。
【００７３】
このように、実施形態１に係るプロジェクターＰＪは、プロジェクターＰＪの設置姿勢に適した収納姿勢で光源装置３００を光源装置収納部１３０に収納可能としているが、いずれの場合にも、光源装置３００をプロジェクターＰＪ側の電気回路（図示せず）に接続することが可能となっていることは勿論である。
【００７４】
これは、図示は省略するが、例えば、光源装置収納部１３０の上部側及び下部側それぞれにプロジェクターＰＪの電気回路側のコネクタを設けておき、光源装置３００の姿勢を変えて光源装置収納部１３０に収納した場合、光源装置収納部１３０に対して収納完了状態となると、収納された光源装置３００側のコネクタが光源装置収納部１３０の上部側のコネクタ又は下部側のコネクタのうちの一方のコネクタに接続されるような構成とすることによって実現可能である。
【００７５】
図６は、図１（ｂ）に示すプロジェクター（天吊姿勢としたプロジェクター）ＰＪにおけるプロジェクター筐体１００の底面１１４を切り欠いて示す図である。なお、図６においては、実施形態１に係るプロジェクターＰＪを説明する上で必要な構成要素のみが図示されている。したがって、プロジェクターＰＪ内部に収納される光学系や電気回路部品などの構成要素については図示が省略されている。
【００７６】
図６に示すように、プロジェクター筐体１００の内部には、天吊金具２００の取り付けを規制するための規制部材１６０が設けられている。この規制部材１６０は、プロジェクター筐体１００の底面１１４の内壁面と平行に設けられたフレーム１７０上を規制部材ガイド部１７１，１７２に沿って光源装置挿脱方向（図６の矢印Ａ−Ａ’方向）にスライド可能となっている。
【００７７】
また、規制部材１６０の一端側（光源装置収納部１３０と反対側の端部）とフレーム１７０のプロジェクター筐体固定部１７７との間にはバネ１８１が介在されている。このバネ１８１は、矢印Ａ方向に移動しようとする規制部材１６０に対し矢印Ａ’方向への伸張力を与えるものである。また、規制部材１６０の他端側（光源装置収納部１３０側の端部）には、光源装置収納部１３０の第１ガイド溝１３１に挿入される挿入突起部１６３が設けられている。なお、挿入突起部１６３は、光源装置３００が光源装置挿入部１３０に収納されたことを検出する光源装置収納検出部としての機能を有する。
【００７８】
また、規制部材１６０は、複数（２個とする）のネジ通し孔１６１，１６２を有している。この２個のネジ通し孔１６１，１６２は、プロジェクター筐体１００の底面１１４に設けられた天吊金具取り付け孔１５１，１５２と同様、ネジ２１１，２１２を通すだけのいわゆる「バカ孔」であり、規制部材１６０に矢印Ａ方向への押圧力が与えられていない状態においては、規制部材１６０のネジ通し孔１６１，１６２と天吊金具取り付け孔１５１，１５２とは合致するように規制部材１６０が位置している。
【００７９】
光源装置３００が光源装置収納部１３０の収納される前の規制部材１６０の位置、すなわち規制部材１６０に矢印Ａ方向への押圧力が加わらない規制部材１６０の位置を規制部材１６０の初期位置とする。
【００８０】
なお、実施形態１に係るプロジェクターＰＪにおける規制部材１６０の初期位置と、後に説明する実施形態２に係るプロジェクターＰＪにおける規制部材１６０の初期位置（詳細については後述する）とを区別するために実施形態１に係るプロジェクターＰＪにおける規制部材１６０の初期位置を「第１初期位置」とし、実施形態２に係るプロジェクターＰＪにおける規制部材１６０の初期位置を「第２初期位置」として説明する。
【００８１】
したがって、実施形態１に係るプロジェクターＰＪにおいては、規制部材１６０のネジ通し孔１６１，１６２とプロジェクター筐体１００の天吊金具取り付け孔１５１，１５２とが合致する規制部材１６０の位置が規制部材１６０の第１初期位置である。
【００８２】
また、フレーム１７０には、プロジェクター筐体１００の底面１１４に設けられた天吊金具取り付け孔１５１，１５２に対向する位置にネジ通し孔１７３，１７４（図７参照）が設けられている。そして、フレーム１７０における規制部材１６０のスライド面と反対側の面には、ネジ通し孔１７３，１７４を通過したネジ２１１，２１２が螺合するナット１７５，１７６（図７参照）が設けられている。したがって、天吊金具２００を取り付ける際においては、ネジ２１１，２１２は、その先端部２１１ａ，２１２ａ（図８（ａ）参照）がフレーム１７０に設けられたナット１７５，１７６にまで達し、ネジ２１１，２１２とナット１７５，１７６とが螺合する。
【００８３】
なお、天吊金具２００がプロジェクター筐体１００に適切に取り付けられた状態（ネジ２１１，２１２を締め付けた状態）としたときは、ネジ２１１，２１２の先端部２１１ａ，２１２ａがナット１７５，１７６の頭部からわずかに突出する状態となるものとする（図８（ａ）参照）。また、フレーム１７０はプロジェクターＰＪを天吊姿勢で設置したときに、プロジェクターＰＪの重量を十分支えることのできる強度を有してプロジェクターＰＪに固定されているものとする。
【００８４】
図７は、実施形態１に係るプロジェクターＰＪの内部構成を示す側断面図である。なお、図７は図６におけるｘ−ｘ線の矢視断面を示すものであるが、断面で表わされていない構成要素も存在する。
【００８５】
また、図７は、プロジェクターＰＪを天吊姿勢とした場合において、光源装置３００が収納される前の状態を示している。天吊姿勢としたプロジェクターＰＪに対して光源装置３００が収納される前の状態においては、図７に示すように、規制部材１６０は、バネ１８１の伸張力によって第１初期位置を保持する。このため、規制部材１６０のネジ通し孔１６１，１６２とプロジェクターＰＪ側の天吊金具取り付け孔１５１，１５２とが合致する状態となる。
【００８６】
図８は、図７に示す規制部材１６０の第１初期位置の状態から光源装置３００の収納と天吊金具２００の取り付けを行う場合について説明する図である。図８（ａ）は光源装置３００が適正姿勢（副鏡４３０が発光管４１０の下側となる姿勢）でプロジェクターＰＪの光源装置収納部１３０に収納された場合であり、図８（ｂ）は光源装置３００が不適正姿勢（副鏡４３０が発光管４１０の上側となる姿勢）でプロジェクターＰＪの光源装置収納部１３０に収納された場合である。
【００８７】
天吊姿勢のプロジェクターＰＪに対して光源装置３００が適正姿勢で収納された場合には、図８（ａ）に示すように、光源装置３００の規制部材押圧部３２０は、プロジェクタ
ーＰＪの第２ガイド溝１３２に入った状態となる。これにより、規制部材１６０の挿入突起部１６３は押圧されず、規制部材１６０はバネ１８１の伸張力によって第１初期位置を保持する。このため、規制部材１６０のネジ通し孔１６１，１６２とプロジェクターＰＪ側の天吊金具取り付け孔１５１，１５２とが合致する状態となる。
【００８８】
規制部材１６０のネジ通し孔１６１，１６２とプロジェクターＰＪ側の天吊金具取り付け孔１５１，１５２とが合致する状態であれば、ネジ２１１，２１２の先端部２１１ａ，２１２ａをフレーム１７０に設けられたナット１７５，１７６にまで差し込むことができる。すなわち、ネジ２１１，２１２は、天吊金具２００のネジ孔、プロジェクター筐体１００の天吊金具取り付け孔１５１，１５２、規制部材１６０のネジ通し孔１６１，１６２を通過して、その先端部２１１ａ，２１２ａがフレーム１７０に設けられたナット１７５，１７６にまで達する。この状態で、ネジ２１１，２１２を締め付けることによって天吊金具２００をプロジェクター筐体１００の底面１１４側に固定することができる。
【００８９】
一方、天吊姿勢のプロジェクターＰＪに対して光源装置３００が不適正姿勢で光源装置収納部１３０に収納された場合は、図８（ｂ）に示すように、光源装置３００の規制部材押圧部３２０は、光源装置収納部１３０の第１ガイド溝１３１に入った状態となる。これにより、規制部材１６０の挿入突起部１６３が光源装置３００の規制部材押圧部３２０によって押圧され、規制部材１６０はバネ１８１の伸張力に抗して矢印Ａ方向に移動し、規制部材１６０のネジ通し孔１６１，１６２は天吊金具取り付け孔１５１，１５２に対して位置がずれた状態となる。
【００９０】
規制部材１６０のネジ通し孔１６１，１６２が天吊金具取り付け孔１５１，１５２に対して位置がずれた状態となると、天吊金具取り付用のネジ２１１，２１２の先端部２１１ａ，２１２ａは規制部材１６０に当接した状態となり、フレーム１７０に設けられたナットにまで到達することができない。したがって、天吊金具２００を取り付けることはできない。
【００９１】
このように、光源装置３００が不適正姿勢で光源装置収納部１３０に収納された場合には、天吊金具２００を取り付けることができない。なお、ユーザーに対しては、予め、取扱説明書などで、天吊金具を取り付ける場合には、光源装置の取り付け方（収納姿勢）が適正でないと天吊金具の取り付けができないことを明示しておくことが好ましい。これにより、ユーザーは天吊金具の取り付けを行ったとき、天吊金具の取り付けが行えない場合には、光源装置の取り付け方（収納姿勢）が適正でないことに気付く。
【００９２】
また、取扱説明書だけではなく、天吊金具取り付け面（プロジェクター筐体１００の底面１１４側）などにその旨を記載したシールなどを貼付しておけば、光源装置を収納したあとに天吊金具を取り付けようとしたとき、天吊金具の取り付けが行えなかった場合には、ユーザーは光源装置の収納の仕方が悪かったことを容易に知ることができる。また、何らかの方法で警報を出すようにしてもよい。
【００９３】
また、光源装置３００を光源装置収納部１３０に収納する前に天吊金具２００の取り付けは可能である。すなわち、光源装置３００が光源装置収納部１３０に収納されない状態においては、規制部材１６０の挿入突起部１６３は押圧されず、規制部材１６０はバネ１８１の伸張力によって第１初期位置を保持する。このため、規制部材１６０のネジ通し孔１６１，１６２と天吊金具取り付け孔１５１，１５２とが合致する状態となっており、図８（ａ）と同様に天吊金具２００の取り付けは可能となる。
【００９４】
なお、天吊金具２００が光源装置３００よりも先に取り付けられた場合には、規制部材１６０はネジ２１１，２１２によって固定された状態となる。この状態で、光源装置３０
０が適正姿勢（図８（ａ）の姿勢）で収納された場合には、光源装置３００の規制部材押圧部３２０が光源装置収納部１３０の第２ガイド溝１３２に入るので、光源装置３００を光源装置収納部１３０に対して収納完了状態とすることができる。
【００９５】
一方、天吊金具２００が先に取り付けられた状態で、光源装置３００が不適正姿勢（図８（ｂ）の姿勢）で収納された場合には、固定状態となっている規制部材１６０に光源装置３００の規制部材押圧部３２０が当接して、光源装置３００をそれ以上奥に収納することができない。これにより、光源装置３００を光源装置収納部１３０に対して収納完了状態とすることはできない。
【００９６】
なお、「収納完了状態」というのは、前述したように、例えば、光源装置３００がプロジェクターＰＪの電気回路（図示せず）に接続された状態であり、具体的には、光源装置３００側のコネクタ（図示せず）が光源装置収納部１３０に設けられているプロジェクターＰＪの電気回路側のコネクタ（図示せず）に接続された状態である。
【００９７】
以上説明したように、実施形態１に係るプロジェクターＰＪにおいては、プロジェクターＰＪを天吊姿勢とした場合において、光源装置３００が適正姿勢（副鏡４３０が発光管４１０の下側となる姿勢）となるように光源装置収納部１３０に収納されれば、天吊金具２００の取り付けが可能となるが、光源装置３００が不適正姿勢（副鏡４３０が発光管４１０の上側となる姿勢）で光源装置収納部１３０に収納されると、天吊金具２００の取り付けが行えなくなる。これにより、実施形態１に係るプロジェクターＰＪにおいては、当該プロジェクターＰＪを天吊姿勢で用いようとする場合において、光源装置３００が不適正姿勢で収納されるのを未然に防ぐことができる。
【００９８】
このように、プロジェクターＰＪを天吊姿勢で用いようとする場合には、光源装置３００が適正姿勢でしか収納することができないため、従来技術で述べたような課題、すなわち発光管４１０の上側が副鏡４３０に覆われることによって発光管４１０と副鏡４３０との間に熱がこもり易くなり、冷却が不十分となるといった課題を解消することができる。
【００９９】
なお、上記実施形態１に係るプロジェクターＰＪの説明においては、プロジェクターＰＪを天吊姿勢として使用する場合、当該プロジェクターＰＪを天吊姿勢とした状態、すなわち、図１（ｂ）に示すようにプロジェクターを上下逆さまにした状態で光源装置３００を収納する例について説明したが、プロジェクターＰＪを天吊姿勢として使用する場合においても、プロジェクターＰＪを据置姿勢とした状態で光源装置３００を天吊姿勢に適した収納姿勢で収納してもよいことは勿論である。
【０１００】
このように、プロジェクターＰＪを据置姿勢とした状態で光源装置３００を天吊姿勢に適した収納姿勢で収納するには、据置姿勢としたプロジェクターＰＪに光源装置３００を収納する場合とは逆の姿勢、すなわち上下逆さまとした姿勢（光源装置３００の規制部材押圧部３２０が光源装置収納部１３０の第２ガイド溝１３２に入るような姿勢）で光源装置収納部１３０に収納すればよい。光源装置３００のこのような姿勢は、プロジェクターＰＪを据置姿勢で用いる場合には、不適正姿勢であるが、当該プロジェクターＰＪを天吊姿勢とすれば、光源装置３００は当該天吊姿勢において適正姿勢となる。なお、この状態においては、規制部材１６０はスライドせず第１初期位置を保持するので、天吊金具２００の取り付けが可能となることは勿論である。
【０１０１】
［実施形態２］
前述の実施形態１に係るプロジェクターＰＪは、規制部材１６０に矢印Ａ方向への押圧力が加わらない状態において、規制部材１６０のネジ通し孔１６１，１６２とプロジェクター筐体１００の天吊金具取り付け孔１５１，１５２とが合致する規制部材１６０の位置
を規制部材１６０の初期位置（第１初期位置）としたが、実施形態２に係るプロジェクターＰＪは、規制部材１６０に矢印Ａ方向への押圧力が加わらない状態において、規制部材１６０のネジ通し孔１６１，１６２とプロジェクター筐体１００の天吊金具取り付け孔１５１，１５２とが合致しない規制部材１６０の位置を規制部材１６０の初期位置（第２初期位置）とする。
【０１０２】
図９は、実施形態２に係るプロジェクターＰＪに用いられる光源装置３００の構成を示す図である。図９（ａ）は光源装置３００の斜視図であり、図９（ｂ）は光源装置３００の側面図である。実施形態２に係るプロジェクターＰＪに用いられる光源装置３００は、規制部材押圧部３２０がリフレクタ４２０の存在する側の外壁面に設けられている点が実施形態１に係るプロジェクターＰＪに用いられる光源装置３００と異なるだけであり、その他は実施形態１に係るプロジェクターＰＪに用いられる光源装置３００と同じであるので、同一構成要素には、同一符号が付されている。
【０１０３】
なお、図５（ｂ）と同様、図９（ｂ）は光源装置筐体３１０内におけるランプ４００の収納姿勢を示すものであるため、主要な構成要素（発光管４１０、リフレクタ４２０及副鏡４３０）のみが示されている。
【０１０４】
図１０は、実施形態２に係るプロジェクターＰＪの内部構成を示す部分断面図である。なお、図１０は図６におけるｘ−ｘ線の矢視断面を示すものであるが、断面で表わされていない構成要素も存在する。
【０１０５】
また、図１０はプロジェクターＰＪを天吊姿勢とした場合において、光源装置３００が収納される前の状態を示している。天吊姿勢としたプロジェクターＰＪに対して光源装置３００が収納される前の状態においては、図１０に示すように、規制部材１６０はバネ１８１の伸張力によって第２初期位置を保持する。すなわち、規制部材１６０の第２初期位置においては、規制部材１６０のネジ通し孔１６１，１６２とプロジェクター筐体１００の天吊金具取り付け孔１５１，１５２とが不一致の状態となっている。
【０１０６】
図１１は、図１０に示す規制部材１６０の第２初期位置の状態から光源装置３００の収納と天吊金具２００の取り付けを行う場合について説明する図である。図１１（ａ）は光源装置３００が不適正姿勢（副鏡４３０が発光管４１０よりも上側となる姿勢）で収納された場合を示すものであり、図１１（ｂ）は光源装置３００が適正姿勢（副鏡４３０が発光管４１０よりも下側となる姿勢）で収納された場合を示すものである。なお、実施形態２に係るプロジェクターＰＪの構成要素のうち実施形態１に係るプロジェクターＰＪの構成要素と同一部分には同一符号が付されている。
【０１０７】
実施形態２に係るプロジェクターＰＪにおいては、規制部材１６０が第２初期位置にあるときは、プロジェクター筐体１００の底面１１４に設けられた天吊金具取り付け孔１５１，１５２と規制部材１６０に設けられたネジ通し孔１６１，１６２とが不一致となっている。
【０１０８】
そして、天吊姿勢のプロジェクターＰＪに対して、光源装置３００が適正姿勢で光源装置収納部１３０に収納されると、規制部材１６０が光源装置３００の規制部材押圧部３２０によって押圧され、光源装置３００が光源装置収納部１３０に対して収納完了状態となったとき、プロジェクター筐体１００の底面１１４に設けられた天吊金具取り付け孔１５１，１５２と規制部材１６０に設けられたネジ通し孔１６１，１６２とが合致するように設定されている。
【０１０９】
すなわち、天吊姿勢の状態に置かれたプロジェクターＰＪに対して光源装置３００が不
適正姿勢で収納された場合は、図１１（ａ）に示すように、光源装置３００の規制部材押圧部３２０は、光源装置収納部１３０の第２ガイド溝１３２に挿入されるため、規制部材１６０は第２初期位置を保持する。これにより、プロジェクター筐体１００の底面１１４に設けられた天吊金具取り付け孔１５１，１５２と規制部材１６０に設けられたネジ通し孔１６１，１６２とは不一致となったままである。このため、ネジ２１１，２１２の先端部２１１ａ，２１２ａは、ナット１７５，１７６に達することができず、天吊金具２００の取り付けは行えない。
【０１１０】
一方、光源装置３００が適正姿勢で収納された場合は、図１１（ｂ）に示すように、光源装置３００の規制部材押圧部３２０は、光源装置収納部１３０の第１ガイド溝１３１に挿入されるため、規制部材１６０は規制部材押圧部３２０によって押圧されて、矢印Ａ方向に移動する。そして、光源装置３００が光源装置収納部１３０に対して収納完了状態となると、プロジェクター筐体１００の底面１１４に設けられた天吊金具取り付け孔１５１，１５２と規制部材１６０に設けられたネジ通し孔１６１，１６２とが合致する。このため、ネジ２１１，２１２の先端部２１１ａ，２１２ａがナット１７５，１７６まで達し、天吊金具２００の取り付けが可能となる。
【０１１１】
実施形態２に係るプロジェクターＰＪにおいても、実施形態１に係るプロジェクターＰＪと同様、プロジェクターＰＪを天吊姿勢とした場合において、光源装置３００が適正姿勢で光源装置収納部１３０に収納されたのち、収納完了状態となると、天吊金具２００の取り付けが可能となる。一方、光源装置３００が不適正姿勢で光源装置収納部１３０に収納された場合には、天吊金具２００の取り付けが行えなくなる。
【０１１２】
これにより、実施形態２に係るプロジェクターＰＪにおいても、当該プロジェクターＰＪを天吊姿勢で用いようとする場合に、光源装置３００が不適正姿勢で収納されるのを未然に防ぐことができる。なお、実施形態２に係るプロジェクターＰＪにおいては、天吊姿勢において、光源装置３００が適正姿勢で光源装置収納部１３０に収納されないと、天吊金具２００の取り付けは行えない。
【０１１３】
［実施形態３］
実施形態３に係るプロジェクターＰＪは、天吊金具２００が先に取り付けられた場合には、当該プロジェクターＰＪに対して光源装置３００を適正姿勢でしか収納できないようにしたものである。なお、前述した実施形態１に係るプロジェクターＰＪにおいても、天吊金具２００が先に取り付けられた場合には、光源装置３００が適正姿勢でしか収納できないような構成となっているが、実施形態３に係るプロジェクターＰＪは、それを実施形態１に係るプロジェクターＰＪとは異なる構成で実現する。なお、実施形態３に係るプロジェクターＰＪの外観は、図１及び図２と同じ外観を有している。
【０１１４】
図１２は、実施形態３に係るプロジェクターＰＪの内部構成を概略的に示す図である。なお、図１２は、図１（ｂ）に示すプロジェクター筐体１００の底面１１４を切り欠いて示すものである。なお、図１２においても、実施形態３に係るプロジェクターＰＪを説明する上で必要な構成要素のみが図示されている。したがって、プロジェクターＰＪ内部に収納される光学系や電気回路部品などの構成要素については図示が省略されている。
【０１１５】
図１３は、実施形態３に係るプロジェクターＰＪの内部構成を示す部分断面図である。なお、図１３は図１２におけるｘ−ｘ線の矢視断面を示すものであるが、断面で表わされていない構成要素も存在する。図１２及び図１３において、プロジェクター筐体１００の底面１１４の内壁面には、天吊金具取り付け孔１５１，１５２に対応する位置に、ナット１７５，１７６が固定されている（図１３参照）。このナット１７５，１７６は、天吊金具２００を取り付ける際にネジ２１１，２１２が螺合するものである。
【０１１６】
また、規制部材１６０は、プロジェクター筐体１００の底面１１４の内壁面に複数（２個とする）のバネ１８２，１８３を介して取り付けられている。なお、バネ１８２，１８３は、伸張力が与えられることによって伸張し、当該伸張力が解除されると元に復帰するものである。図１３はバネ１８２，１８３に伸張力が与えられていない状態である。
【０１１７】
また、規制部材１６０には、ネジ通し孔１６１とネジ通し孔１６２との間に細長いガイド孔１６８が設けられており、このガイド孔１６８には、プロジェクター筐体１００の内壁面に取り付けられたガイド板１９０が上下方向に貫通している。これにより、規制部材１６０は、上下方向（矢印Ｂ−Ｂ’方向）に直交する平面上での動きが規制された状態で、上下方向への移動が可能となっている。
【０１１８】
また、規制部材１６０には、ネジ２１１，２１２の先端部２１１ａ，２１２ａに対向するネジ対向突起部１６５，１６６が設けられている。このネジ対向突起部１６５，１６６は、その先端部がナット１７５，１７６のネジ孔に挿脱可能となっており、規制部材１６０の上下方向（矢印Ｂ−Ｂ’）への移動に伴って、ナット１７５，１７６のネジ孔に挿入された状態となったりネジ孔から離脱する状態となったりする。なお、天吊金具２００が取り付けられる前の状態においては、規制部材１６０のネジ対向突起部１６５，１６６は、それぞれ対応するナット１７５，１７６のネジ孔に挿入された状態となっている。
【０１１９】
また、規制部材１６０は実施形態３に係るプロジェクターＰＪにおいては、上下方向に移動するものであるため、規制部材１６０に設けられている挿入突起部１６３も、第１ガイド溝１３１に対して上下方向に出入りするものである。このため、実施形態３に係るプロジェクターＰＪにおいては、光源装置収納部１３０の第１ガイド溝１３１は、プロジェクターＰＪを天吊姿勢（図１３に示す姿勢）とした場合、第１ガイド溝１３１の上側端面が開口されている。
【０１２０】
このように構成された実施形態３に係るプロジェクターＰＪにおいて、天吊金具２００が取り付けられていない状態では、図１３に示すように、規制部材１６０は、ネジ対向突起部１６５，１６６の先端部がナット１７５，１７６のネジ孔に挿入された状態となっており、また、挿入突起部１６３は、第１ガイド溝１３１の上方に位置し、第１ガイド溝１３１から離脱した状態となっている。
【０１２１】
図１４は、図１３に示す状態において天吊金具２００が取り付けられた状態を示す図である。図１４に示すように、天吊金具２００が取り付けられて、ネジ２１１，２１２が確実に締め付けられた状態となると、当該ネジ２１１，２１２の先端部２１１ａ，２１２ａはナット１７５，１７６の頭部から突き抜ける位置にまで達する。このため、規制部材１６０のネジ対向突起部１６５，１６６は、ネジ２１１，２１２の先端部２１１ａ，２１２ａによって下方向（矢印Ｂ方向）に押されて、規制部材１６０がバネ１８２，１８３を伸張させながら矢印Ｂ方向に下降して行き、挿入突起部１６３が、第１ガイド溝１３１内に入り込んだ状態となる。
【０１２２】
図１５は、天吊金具２００が取り付けられた状態における光源装置３００の収納操作について説明する図である。図１５（ａ）は光源装置３００が適正姿勢で光源装置収納部１３０に収納された場合であり、図１５（ｂ）は光源装置３００が不適正姿勢で光源装置収納部１３０に収納された場合である。
【０１２３】
図１５（ａ）に示すように、光源装置３００が適正姿勢で光源装置収納部１３０に収納された場合には、光源装置３００の規制部材押圧部３２０は第２ガイド溝１３２側に挿入されるので、規制部材押圧部３２０は光源装置３００の挿入突起部１６３に当接すること
がない。このため、光源装置３００は、規制部材１６０の規制を受けずに光源装置収納部１３０に収納することができるので、光源装置３００を光源装置収納部１３０に対して収納完了状態とすることができる。
【０１２４】
一方、図１５（ｂ）に示すように、光源装置３００が不適正姿勢で光源装置収納部１３０に収納されると、光源装置３００の規制部材押圧部３２０は第１ガイド溝１３１に挿入されるので、規制部材押圧部３２０は光源装置３００の挿入突起部１６３に当接する。このため、光源装置３００は規制部材１６０によって、それ以上奥への収納が規制され、光源装置３００を光源装置収納部１３０に対して収納完了状態とすることはできない。
【０１２５】
このように、実施形態３に係るプロジェクターＰＪにおいては、天吊金具２００が取り付けられている状態では、光源装置３００は適正姿勢でしか収納完了状態とすることができない。このため、当該プロジェクターＰＪを天吊姿勢で用いようとする場合には、光源装置３００が不適正姿勢で収納されるのを未然に防ぐことができる。
【０１２６】
なお、実施形態３に係るプロジェクターＰＪは、天吊金具２００が取り付けられていない状態（図１３参照）では、規制部材１６０の挿入突起部１６３は、光源装置収納部１３０の第１ガイド溝１３１から離脱した状態となっているため、光源装置３００の取り付けは、任意の姿勢で収納可能である。したがって、天吊金具２００を取り付ける前に、光源装置３００が不適正姿勢で収納されてしまう場合もあるが、仮に、天吊金具２００が取り付けられる前に光源装置３００が不適正姿勢で光源装置収納部１３０に収納された場合には、天吊金具２００の取り付けができなくなる。
【０１２７】
すなわち、天吊金具２００が取り付けられる前に光源装置３００が不適正姿勢で光源装置収納部１３０に収納されると、光源装置３００の規制部材押圧部３２０が光源装置収納部１３０の第１ガイド溝１３１に挿入された状態となるため、その状態で天吊金具２００を取り付けようとして、ネジ２１１，２１２を差し込んで規制部材１６０のネジ対向突起部１６５，１６６が押圧されても、規制部材１６０の挿入突起部１６３が第１ガイド溝１３１に入り込むことができない。このため、規制部材１６０の下降が規制され、ナット１７５，１７６のネジ孔が規制部材１６０のネジ対向突起部１６５，１６６によって塞がれたままとなる。この状態においては、ネジ２１１，２１２の先端部２１１ａ，２１２ａがナット１７５，１７６に入り込むことができないので、天吊金具２００の取り付けは行えない。
【０１２８】
[実施形態４]
図１６は、実施形態４に係るプロジェクターＰＪの内部構成を示す部分断面図であり、図１３を一部変形して示す図である。なお、図１６は図１３と同様、天吊金具２００が取り付けられる前の状態を示すものである。図１６が図１３と異なるのは、規制部材１６０が第１ガイド溝１３１及び第２ガイド溝１３２それぞれに対応して２本の挿入突起部１６３，１６４を有している点である。すなわち、第１ガイド溝１３１に対応した挿入突起部１６３の他に、第２ガイド溝１３２に対応した挿入突起部１６４を有している。以下では、挿入突起部１６３を第１挿入突起部１６３とし、挿入突起部１６４を第２挿入突起部１６４とする。
【０１２９】
第２挿入突起部１６４は、規制部材１６０から図１６における下方向に延設された下方向延設部１６４ａを有した形状となっている。第２挿入突起部１６４がこのような形状を有しているため、下方向延設部１６４ａを単純な直線状部材で形成すると、光源装置３００内のランプ４００から射出される光の進路を遮断することとなるので、下方向延設部１６４ａは、ランプ４００から射出される光を遮断しないように、例えば、図１６（ｂ）に示すような構成とすることが好ましい。
【０１３０】
図１６（ｂ）は図１６（ａ）のｙ−ｙ線の矢視図である。なお、図１６（ａ）においては、光源装置３００が挿入されていない状態が示されているが、光源装置３００のランプ４００と下方向延設部１６４ａとの対応関係を分かりやすくするため、図１６（ｂ）では、光源装置３００が図示されている。
【０１３１】
第１挿入突起部１６３及び第２挿入突起部１６４は、いずれか一方の挿入突起部のみがそれぞれ対応するガイド溝に入り込んだ状態となる。すなわち、図１６に示すように、天吊金具２００が取り付けられていない状態においては、第１挿入突起部１６３は第１ガイド溝１３１から離脱した状態となっており、第２挿入突起部１６４が第２ガイド溝１３２に入り込んだ状態となっている。
【０１３２】
なお、第２挿入突起部１６４も第２ガイド溝１３２に対して上下方向に出入りするものであるため、光源装置収納部１３０の第２ガイド溝１３２は、プロジェクターＰＪを天吊姿勢（図１６に示す姿勢）とした場合、第２ガイド溝１３２の下側端面が開口されている。
【０１３３】
図１７は、図１６（ａ）に示すような状態において天吊金具２００が取り付けられた場合を示す図である。天吊金具２００が取り付けられると、図１７に示すように、規制部材１６０のネジ対向突起部１６５，１６６は、ネジ２１１，２１２の先端部２１１ａ，２１２ａによって下方向に押圧されて、規制部材１６０がバネ１８２，１８３を伸張させながら下降して行く。このため、規制部材１６０の第１挿入突起部１６３は、第１ガイド溝１３１内に入り込んだ状態となる。一方、第２挿入突起部１６４は、図１７に示すように、第２ガイド溝１３２から離脱した状態となる。
【０１３４】
図１８は、天吊金具２００が取り付けられた状態における光源装置３００の収納操作について説明する図である。図１８（ａ）は光源装置３００が適正姿勢で光源装置収納部１３０に収納された場合であり、図１８（ｂ）は光源装置３００が不適正姿勢で光源装置収納部１３０に収納された場合である。
【０１３５】
図１８（ａ）に示すように、光源装置３００が適正姿勢で光源装置収納部１３０に収納された場合には、光源装置３００の規制部材押圧部３２０は第２ガイド溝１３２側に挿入される。このとき、規制部材１６０の第２挿入突起部１６４は、第２ガイド溝１３２から離脱した状態となっているので、光源装置３００は、規制部材１６０の規制を受けずに光源装置収納部１３０に収納することができる。
【０１３６】
一方、図１８（ｂ）に示すように、光源装置３００が不適正姿勢で光源装置収納部１３０に収納されると、光源装置３００の規制部材押圧部３２０は、第１ガイド溝１３１に挿入される。このとき、規制部材１６０の第１挿入突起部１６３は、第１ガイド溝１３１に入り込んだ状態となっているので、規制部材押圧部３２０は規制部材１６０の第１挿入突起部１６３に当接する。このため、光源装置３００は規制部材１６０によって、それ以上奥への挿入が規制され、光源装置３００を光源装置収納部１３０に対して収納完了状態とすることはできない。
【０１３７】
また、実施形態４に係るプロジェクターにおいては、プロジェクターＰＪを据置姿勢で使用する場合（天吊金具２００を取り付けない状態）においても、光源装置３００が不適正姿勢で収納されるのを防止することができる。
【０１３８】
図１９は、プロジェクターＰＪを据置姿勢で使用する場合における光源装置３００の収納操作と規制部材１６０との関係について説明する図である。図１９に示すプロジェクタ
ーＰＪは、図１６（ａ）に示すプロジェクターＰＪを上下方向に逆転させたものであって、プロジェクターＰＪを据置姿勢とした場合である。図１９（ａ）は据置姿勢において光源装置３００が適正姿勢（副鏡４３０が発光管４１０の下側となる姿勢）で光源装置収納部１３０に収納された場合を示し、図１９（ｂ）は据置姿勢において光源装置３００が不適正姿勢（副鏡４３０が発光管４１０の上側となる姿勢）で光源装置収納部１３０に収納された場合を示している。
【０１３９】
プロジェクターＰＪを据置姿勢で使用する場合においては、天吊金具２００の取り付けが行われないので、図１９に示すように、規制部材１６０の第２挿入突起部１６４は、第２ガイド溝１３２に入り込んだ状態にあり、第１挿入突起部１６３は、第１ガイド溝１３１から離脱した状態にある。
【０１４０】
この状態で、図１９（ａ）に示すように、光源装置３００が適正姿勢で収納された場合には、光源装置３００の規制部材押圧部３２０は第１ガイド溝１３１に存在するため、規制部材１６０の第１挿入突起部１６３に当接しない。これにより、光源装置３００は、規制部材１６０の規制を受けずに光源装置収納部１３０に収納することができる。
【０１４１】
一方、図１９（ｂ）に示すように、光源装置３００が不適切姿勢で収納されると、光源装置３００の規制部材押圧部３２０が光源装置収納部１３０の第２ガイド溝１３２に存在するため、光源装置３００の規制部材押圧部３２０は規制部材１６０の第２挿入突起部１６４に当接する。このため、光源装置３００はそれ以上奥への挿入が規制され、光源装置３００を光源装置収納部１３０に対して収納完了状態とすることはできない。
【０１４２】
このように、実施形態４に係るプロジェクターＰＪにおいては、当該プロジェクターＰＪを天吊姿勢で使用する場合だけではなく、プロジェクターＰＪを据置き姿勢で使用する場合においても、光源装置３００が不適正姿勢で収納されるのを未然に防ぐことができる。
【０１４３】
なお、本発明は上記実施形態に限られるものではなく、本発明の要旨を逸脱しない範囲で種々変形実施可能となるものである。例えば、下記（１）〜（６）に示すような変形実施も可能である。
【０１４４】
（１）実施形態１及び実施形態２においては、規制部材１６０は、上下方向に直交する平面上（水平面上）において直線的（図６におけるＡ−Ａ’方向）にスライドするような構成としたが、水平面上において所定角度で回転するような構成としてもよい。例えば、実施形態１の場合であれば、光源装置３００が不適正姿勢で光源装置収納部１３０に収納されて、規制部材押圧部３２０が規制部材１６０の挿入突起部１６３を押圧すると、規制部材１６０が所定の回転軸を中心にわずかに回転し、それによって、プロジェクター筐体１００の天吊金具取り付け孔１５１，１５２と規制部材１６０のネジ通し孔１６１，１６２とが合致しなくなるというような構成とする。このような構成としても、光源装置３００が不適正姿勢で光源装置収納部１３０に収納された場合には、天吊金具の取り付けができないようにすることができる。
【０１４５】
（２）前述の各実施形態においては、光源装置挿脱方向（図６における矢印Ａ−Ａ’方向）は、当該光源装置３００のランプ４００からの光の射出方向と一致する方向とした場合を例示したが、光源装置挿脱方向とランプ４００から射出される光の射出方向とは必ずしも一致する必要はなく、プロジェクターの光学系の構成の仕方などによっては、例えば、光源装置３００のランプ４００から射出される光の射出方向が光源装置挿脱方向に直交する方向であってもよい。
【０１４６】
（３）前述の各実施形態においては、光源装置収納部１３０は、プロジェクター筐体１００の側面１１３に設けられている例を示したが、これに限られるものではなく、背面１１２側に設けられていてもよい。
【０１４７】
（４）規制部材１６０の形状及び光源装置筐体３１０に設けられる規制部材押圧部３２０の形状なども前述の各実施形態に示したものに限られるものではなく、前述の各実施形態で説明したような機能を果たすことができるものであればよい。
【０１４８】
（５）前述の各実施形態においては、天吊金具２００を取り付けるためのネジ２１１，２１２は、ナット１７５，１７６によって固定するようにしたが、ナット１７５，１７６を構成部品の１つとして用意するのではなく、例えば、実施形態１及び実施形態２の場合であれば、フレーム１７０のネジ通し孔１７３，１７４そのものにネジ２１１，２１２と螺合できるような螺刻部を設けるようにしてもよい。
【０１４９】
（６）前述の各実施形態においては、光変調素子として液晶パネルを用いた場合が例示されているが、これに限られるものではなく、マイクロミラー型の光変調素子であってもよい。
【符号の説明】
【０１５０】
１００・・・プロジェクター筐体、１１４・・・底面、１２０・・・投写レンズ、１３０・・・光源装置収納部、１３１・・・第１ガイド溝、１３２・・・第２ガイド溝、１５１，１５２・・・天吊金具取り付け孔、１６０・・・規制部材、１６１，１６２・・・ネジ通し孔、１６３・・・挿入突起部（第１挿入突起部）、１６４・・・挿入突起部（第２挿入突起部）、１６４ａ・・・下方向延設部、１６５，１６６・・・ネジ対向突起部、１７０・・・フレーム、１７５，１７６・・・ナット、１８１，１８２，１８３・・・バネ、１９０・・・ガイド板、２００・・・天吊金具（第２姿勢設置用部品）、２１１，２１２・・・ネジ、２１１ａ，２１２ａ・・・ネジの先端部、３００・・・光源装置、３１０・・・光源装置筐体、３２０・・・規制部材押圧部、４００・・・ランプ、４１０・・・発光管、４２０・・・リフレクタ（主反射鏡）、４３０・・・副鏡（副反射鏡）、ＰＪ・・・プロジェクター
【図１】
2011007834.tif 000003
【図２】
2011007834.tif 000004
【図３】
2011007834.tif 000005
【図４】
2011007834.tif 000006
【図５】
2011007834.tif 000007
【図６】
2011007834.tif 000008
【図７】
2011007834.tif 000009
【図８】
2011007834.tif 000010
【図９】
2011007834.tif 000011
【図１０】
2011007834.tif 000012
【図１１】
2011007834.tif 000013
【図１２】
2011007834.tif 000014
【図１３】
2011007834.tif 000015
【図１４】
2011007834.tif 000016
【図１５】
2011007834.tif 000017
【図１６】
2011007834.tif 000018
【図１７】
2011007834.tif 000019
【図１８】
2011007834.tif 000020
【図１９】
2011007834.tif 000021
【図２０】
2011007834.tif 000022